(57)【要約】【課題】カバーを自動的に最大開放点又は完全閉鎖点まで駆動させるスライド型移動通信端末機を提供する。【解決手段】このスライド型移動通信端末機は本体とカバーとからなり、外周面にネジ溝が形成され、カバーの開閉長以上の長さを有するスクリュー軸を回転軸として備え、スクリュー軸がカバーの開閉方向に平行するように本体の上端面に結合されるモータと、ネジ溝に挿入可能な形状のスライド突起が下端部に形成され、ネジ溝にスライド突起が挿入されるようにカバーに結合され、スクリュー軸の回転によりスクリュー軸の長手方向に移送される移送ユニットとを有する開閉手段を含む。さらに、使用者の操作によって動作信号を発生させるための信号入力部を備えて、動作信号の入力時にモータを駆動させる。【選択図】図１
2005094763.tif 000002
【特許請求の範囲】
【請求項１】
本体と、
前記本体の上端面にスライド可能に結合されるカバーと、
外周面にネジ溝が形成されたスクリュー軸を回転軸として備え、前記本体の上端面に結合されるモータ、及び前記ネジ溝に挿入可能な形状のスライド突起が下端部に形成され、前記ネジ溝に前記スライド突起が挿入されるように前記カバーに結合され、前記スクリュー軸の回転により前記スクリュー軸の長手方向に移送される移送ユニットを有する開閉手段と、
外力が加わると動作信号を発生させる信号入力部と、
前記信号入力部から発生した動作信号を受信して前記モータを駆動させる制御部とを含んでなることを特徴とするスライド型移動通信端末機。
【請求項２】
前記スライド型移動通信端末機は、
前記カバーの開閉状態を感知し、前記カバーの開放時に前記カバーの開放状態を知らせる開放位置信号を発生させて前記制御部に印加し、前記カバーの閉鎖時に前記カバーの閉鎖状態を知らせる閉鎖位置信号を発生させて前記制御部に印加する位置感知手段をさらに含み、
前記制御部は、前記開放位置信号を受信した状態で前記動作信号を受信すると、前記閉鎖位置信号を受信するまで、前記カバーの閉鎖方向に前記移送ユニットが移送するように前記モータを駆動させ、前記閉鎖位置信号を受信した状態で前記動作信号を受信すると、前記開放位置信号を受信するまで、前記カバーの開放方向に前記移送ユニットが移送するように前記モータを駆動させることを特徴とする請求項１に記載のスライド型移動通信端末機。
【請求項３】
前記位置感知手段は、
前記カバーの下端面に結合され、磁気エネルギーを放出するマグネットと、
前記カバーが閉鎖したとき、前記マグネットに対応する位置の前記本体の上端面に結合され、磁気エネルギーを感知すると、閉鎖位置信号を発生させる第１磁気センサと、
前記カバーが開放したとき、前記マグネットに対応する位置の前記本体の上端面に結合され、磁気エネルギーを感知すると、開放位置信号を発生させる第２磁気センサとを含むことを特徴とする請求項２に記載のスライド型移動通信端末機。
【請求項４】
前記位置感知手段は、
前記カバーの下端面に結合され、光を放出する発光部と、
前記カバーが閉鎖したとき、前記発光部に対応する位置の前記本体の上端面に結合され、光を感知すると、閉鎖位置信号を発生させる第１感光部と、
前記カバーが開放したとき、前記発光部に対応する位置の前記本体の上端面に結合され、光を感知すると、開放位置信号を発生させる第２感光部とを含むことを特徴とする請求項２に記載のスライド型移動通信端末機。
【請求項５】
前記開閉手段は、
前記スクリュー軸の上部を覆う長さに長く形成され、前記スクリュー軸と前記移送ユニット間に設けられ、前記スライド突起が貫通可能な大きさに、前記スクリュー軸の長手方向に形成されるガイドスロットを有するガイド板をさらに含むことを特徴とする請求項１に記載のスライド型移動通信端末機。
【請求項６】
前記信号入力部は、外部から圧力が加わると、内部回路の連結により、モータの動作信号を発生させるスイッチボタンを含んでなることを特徴とする請求項１に記載のスライド型移動通信端末機。
【請求項７】
前記信号入力部は、外部から圧力が加わると、電流を発生させる圧電素子を含んでなることを特徴とする請求項１に記載のスライド型移動通信端末機。
【請求項８】
前記信号入力部は、外部から熱を感知すると、前記動作信号を発生させて前記制御部に伝達する感熱センサを含んでなることを特徴とする請求項１に記載のスライド型移動通信端末機。
【発明の詳細な説明】
【技術分野】
【０００１】
本発明はスライド型移動通信端末機に関し、より詳しくは上端面にスライド可能に結合されるカバーを駆動して自動的に最大開放点又は完全閉鎖点に位置させるスライド型移動通信端末機に関するものである。
【背景技術】
【０００２】
全世界的に移動通信端末機が次第に普及されていくに従い、使用者の欲求に応えるための多様な機能及びデザインの端末機が市販されている。かかる端末機は、一般のバータイプ（ｂａｒ  ｔｙｐｅ）端末機から、フリップタイプ（ｆｌｉｐ  ｔｙｐｅ）端末機、フリップアップタイプ（ｆｌｉｐ−ｕｐ  ｔｙｐｅ）端末機、フォルダタイプ（ｆｏｌｄｅｒ  ｔｙｐｅ）端末機などに発展されているが、最近には、フォルダタイプ端末機が主流を成している。これは、フォルダタイプ端末機がディスプレイ装置としてワイドＬＣＤモジュールを採択し得る程の空間的余裕が十分であり、半分に折り畳んで携帯することができるので、携帯性においてもほかの端末機より優れているからである。
【０００３】
一方、前述したフォルダタイプ端末機と類似したサイズのＬＣＤモジュールを備えることができるとともに、端末機の小型化に供し得るタイプの端末機が登場している。即ち、所定の本体上で、カバーが端末機の長手方向に一定長さだけスライドして開放する形態のスライドタイプ端末機で、既存のフォルダタイプ端末機に比べ、使用者の変化する多様な好みに応えられる利点を持っている。
【０００４】
スライドタイプ端末機は、本体を基準として見ると、スライドボディが本体の長さの１／２くらいまで下向きに又は上向きにスライドして開放するように構成でき（端末機の動作安定性のために１／２に制限されるが、それ以上に開放することもできる）、一般に、本体に３×４キーパッドアセンブリが取り付けられることができ、本体の前面上にディスプレイ装置が設けられることもできる。
【０００５】
前記のようなカバーは所定のガイド手段によりガイドすることができる。このため、カバー又は本体上にガイドリブを形成し、前記カバー又は本体の残り部分の、前記ガイドリブに対応する部分にガイドスリットを形成することにより、スライド動作を図っている。また、前記カバーがスライドして完全に開放するか、あるいは完全に閉鎖する部分に所定のストッパー手段を設けることにより、前記本体上でカバーが勝手に遊動することを防止する。
【０００６】
しかし、前述したようなガイド手段及びストッパー手段を備えたスライドタイプ端末機は、カバーが本体上で完全に開放するか又は閉鎖するときにだけ、その位置が固定できる。
【０００７】
したがって、開放又は閉鎖動作の途中にはカバーが勝手に誘導するので、使用者が望まない端末機の誤動作が起こることもある。また、カバーを開放又は閉鎖させようとする場合、カバーがストッパーにかかって固定されるまで、カバーを最後まで押さなければならない面倒さがあった。
【発明の開示】
【発明が解決しようとする課題】
【０００８】
したがって、本発明は前述したような問題点を解消するためになされたもので、使用者が直接カバーを押さなくても、カバーが自動的に完全開放地点又は完全閉鎖地点に位置し、カバーが開放又は閉鎖中に勝手に遊動しないスライド型移動通信端末機を提供することにその目的がある。
【課題を解決するための手段】
【０００９】
前記目的を達成するため、本発明によるスライド型移動通信端末機は、本体と、前記本体の上端面に本体の長手方向にスライド可能に結合されるカバーと、外周面にネジ溝が形成されたスクリュー軸を回転軸として備え、前記本体の上端面に結合されるモータ、及び前記ネジ溝に挿入可能な形状のスライド突起が下端部に形成され、前記ネジ溝に前記スライド突起が挿入されるように前記カバーに結合され、前記スクリュー軸の回転により前記スクリュー軸の長手方向に移送される移送ユニットを有する開閉手段と、外力が加わると動作信号を発生させる信号入力部と、前記信号入力部から発生した動作信号を受信して前記モータを駆動させる制御部とを含んでなる。
【００１０】
前記開閉手段は、前記スクリュー軸の上部を覆う長さに長く形成され、前記スクリュー軸と前記移送ユニット間に設けられ、前記スライド突起が貫通可能な大きさに、前記スクリュー軸の長手方向に形成されるガイドスロットを有するガイド板を含むことができる。
また、前記スライド型移動通信端末機は、前記カバーの開閉状態を感知し、前記カバーの開放時に前記カバーの開放状態を知らせる開放位置信号を発生させて前記制御部に印加し、前記カバーの閉鎖時に前記カバーの閉鎖状態を知らせる閉鎖位置信号を発生させて前記制御部に印加する位置感知手段を含むことができる。この際、前記制御部は、前記開放位置信号を受信した状態で前記動作信号を受信すると、前記閉鎖位置信号を受信するまで、前記カバーの閉鎖方向に前記移送ユニットが移送するように前記モータを駆動させ、前記閉鎖位置信号を受信した状態で前記動作信号を受信すると、前記開放位置信号を受信するまで、前記カバーの開放方向に前記移送ユニットが移送するように前記モータを駆動させる。
【００１１】
前記位置感知手段は、前記カバーの下端面に結合され、磁気エネルギーを放出するマグネットと、前記カバーが閉鎖したとき、前記マグネットに対応する位置の前記本体の上端面に結合され、磁気エネルギーを感知すると、閉鎖位置信号を発生させる第１磁気センサと、前記カバーが開放したとき、前記マグネットに対応する位置の前記本体の上端面に結合され、磁気エネルギーを感知すると、開放位置信号を発生させる第２磁気センサとを含むことができる。
【００１２】
また、前記位置感知手段は、前記カバーの下端面に結合され、光を放出する発光部と、前記カバーが閉鎖したとき、前記発光部に対応する位置の前記本体の上端面に結合され、光を感知すると、閉鎖位置信号を発生させる第１感光部と、前記カバーが開放したとき、前記発光部に対応する位置の前記本体の上端面に結合され、光を感知すると、開放位置信号を発生させる第２感光部とを含むことができる。
【００１３】
また、前記信号入力部は、外部から圧力が加わると、動作信号を発生させて前記制御部に伝達するスイッチボタン、又は圧電素子を含むことができる。前記信号入力部は、外部から熱を感知すると、前記動作信号を発生させて前記制御部に伝達する感熱センサを含むことができる。
【発明の効果】
【００１４】
以上のような本発明によるスライド型移動通信端末機は、使用者がカバーを自動に開放及び閉鎖させることができるので、使用が大変便利になる利点がある。
【００１５】
また、本発明によるスライド型移動通信端末機は、カバーを開放及び閉鎖させる開閉手段の構造が非常に簡単であるので、製作工程を縮減することができ、製作単価を低減させることができる利点がある。
【発明を実施するための最良の形態】
【００１６】
以下、添付図面に基づいて本発明の実施例を詳細に説明する。
【００１７】
図１は本発明によるスライド型移動通信端末機の分解斜視図である。
【００１８】
同図に示すように、本発明によるスライド型移動通信端末機は、数字及び各種文字の信号入力のためのキーパッド１１０及び音響送信部１２０を有する本体１００と、音響出力のためのイヤーピース２１０、映像出力のための液晶画面２２０、及び特殊機能の信号入力のための多数の機能キー２３０を有するカバー２００と、カバー２００のスライド運動をガイドするスライドモジュール３００と、カバー２００を開閉する開閉手段４００とを含んでなる。
【００１９】
スライドモジュール３００は、カバー２００の開閉方向に長く形成され、カバー２００の下端面に結合されるスライドレール３１０と、スライドレール３１０の長手方向にスライド可能な構造で、スライドレール３１０に結合され、スライドレール３１０の下端から突出して本体に固着される結合突起３２２を有するキャリア３２０とからなる。
開閉手段４００は、外周面にネジ溝４２２が形成され、カバー２００の開閉長以上の長さを有するスクリュー軸４２０を回転軸として備え、スクリュー軸４２０の長手方向がカバーの開閉方向と平行するように、本体の上端面に結合されるモータ４１０と、カバー２００が閉じたとき、スクリュー軸４２０の結合位置に対応する、カバー２００の下端面に結合され、下端部が前記ネジ溝４２２に収容可能な形状に形成されるスライド突起４４２を有する移送ユニット４４０とを含んでなる。
【００２０】
この際、スクリュー軸４２０は、カバー２００が十分開閉できるように、カバー２００の開閉長以上の長さに形成され、モータ４１０は、スクリュー軸４２０の長手方向がカバー２００の開閉方向と平行するように、本体の上端面に結合されることが好ましい。
カバー２００の下端面の両側には、スライドモジュール３００と移送ユニット４４０が挿着されるスライドモジュール収容溝２４０と移送ユニット収容溝２５０がそれぞれ形成される。
【００２１】
また、スクリュー軸４２０と移送ユニット４４０間には、スクリュー軸４２０の上部を覆う長さに長細く形成され、スライド突起４４２が貫通するガイドスロット４３２がスクリュー軸４２０の長手方向に形成されたガイド板４３０が設けられる。
【００２２】
スライド突起４４２の下端部がネジ溝４２２に収容されるように結合される移送ユニット４４０は、モータ４１０によりスクリュー軸４２０が回転するにつれて、ガイドスロット４３２に沿ってスクリュー軸４２０の長手方向に直線運動する。このような移送ユニット４４０の結合構造及び動作原理はほかの図に基づいて以降に詳細に説明する。
【００２３】
本体１００の上端面には、開閉手段４００と対応する位置に、開閉手段４００を収容する開閉手段挿着溝１４０が形成され、結合突起３２２と対応する位置に、結合突起３２２が挿入されて固着される構造の結合突起挿着孔１３０が形成される。
【００２４】
また、本体１００の側面には、カバー２００を開閉するためにモータ４１０を駆動させるスイッチボタン構造の開閉ボタン１５０が設けられる。したがって、使用者が開閉ボタン１５０を押してモータ４１０を駆動させると、移送ユニット４４０がスクリュー軸４２０の長手方向に直線運動し、よって移送ユニット４４０が結合されるカバー２００は開放又は閉鎖方向にスライドすることになる。開閉ボタン１５０が設けられる位置は、図１に示すような本体１００の側面に限定されるものではなく、使用者の便宜によって多様な位置に変更可能なものである。
【００２５】
本実施例に適用した開閉ボタン１５０は、使用者により押されて内部回路が連結されることにより、モータ４１０の動作信号を発生させるスイッチボタン構造に構成されているが、開閉ボタン１５０の構成はこれに限定されず、多様な構造に変更することができる。例えば、外部圧力が加わると電流を発生させる圧電素子を用いて構成されるボタン、又は使用者の身体一部との接触による体温伝達のように、外部から熱が伝達されると、その熱を感知して信号を発生させる感熱センサに変更して適用することができる。
【００２６】
また、カバー２００の下端面には磁気エネルギーを放出するマグネット５１０が設けられ、カバー２００が閉鎖及び開放されたとき、マグネット５１０に対応する位置の本体１００の上端面には、磁気エネルギーを感知する第１磁気センサ５２０及び第２磁気センサ５３０がそれぞれ設けられる。第１磁気センサ５２０は、磁気エネルギーを感知すると、カバー２００が閉鎖したことを知らせる閉鎖位置信号を発生し、第２磁気センサ５３０は、磁気エネルギーを感知すると、カバー２００が開放したことを知らせる開放位置信号を発生する。
【００２７】
図２ａは本発明に適用されるスライドモジュール３００を、結合突起が上向きにするように、裏返した状態を示す斜視図である。
【００２８】
同図に示すように、スライドレール３１０の内部には長手方向にスライドスロット３１２が形成され、キャリア３２０は、結合突起３２２がスライドレール３１０の外部に突出するようにスライドスロット３１２内に結合される。キャリア３２０はスライドスロット３１２の内部に結合された状態を維持し、スライドスロット３１２の長手方向にスライド可能となり、結合突起３２２は、キャリア３２０の位置にかかわらず、常にスライドレール３１０の外部に突出した状態を維持する。
【００２９】
図２ｂは本発明に適用される開閉手段の斜視図である。
【００３０】
同図に示すように、開閉手段４００に適用される移送ユニット４４０は、外周面にネジ溝４２２が形成されたスクリュー軸４２０を回転させるモータ４１０と、スクリュー軸４２０の全長に沿ってスクリュー軸４２０の上部に位置するように結合されるガイド板４３０と、スクリュー軸４２０の回転により、ガイド板４３０に接触した状態を維持しながらガイド板４３０の長手方向にスライドできるように構成される移送ユニット４４０とを含んでなる。
【００３１】
図２ｃは図２ｂのＡ−Ａ線についての断面図である。
【００３２】
同図に示すように、下端部に形成されるスライド突起４４２はスクリュー軸４２０の外周面に形成されたネジ溝４２２に挿入される。
【００３３】
この際、スライド突起４４２はネジ溝４２２に挿入された状態を維持し、スライド可能に結合され、移送ユニット４４０はガイド溝４３２に沿ってスライド可能となるようにガイド板４３０に結合される。したがって、スクリュー軸４２０の回転により、スライド突起４４２がネジ溝４２２に沿ってスライドすると、移送ユニット４４０はスライドスロット３１２に沿って直線運動し、移送ユニット４４０と結合されるカバー２００も直線運動することになる。
【００３４】
図３ａは、カバー２００が閉鎖したとき、移送ユニット及びマグネットの位置を示す断面図である。
【００３５】
同図に示すように、カバー２００が閉鎖すると、移送ユニット４４０はモータ４１０に結合されたスクリュー４２０の自由端部に位置し、マグネット５１０は第１磁気センサ５２０の上部に位置する。このように、第１磁気センサ５２０がマグネット５１０から磁気エネルギーを受けている状態で、使用者が信号入力部を介して動作信号を入力すると、モータ４１０は、移送ユニット４４０がモータ４１０に近接する方向にスライドするように、スクリュー軸４２０を回転させる。モータ４１０に近接する方向に移送ユニット４４０がスライドするに従い、移送ユニット４４０と結合されたカバー２００が開放されて、本体１００の上端面を外部に露出させる。
【００３６】
図３ｂは、カバー２００が開放したとき、移送ユニット及びマグネットの位置を示す断面図である。
【００３７】
同図に示すように、カバー２００が完全に開放すると、移送ユニット４４０はモータ４１０に結合されたスクリュー軸４２０の基端部に位置し、マグネット５１０は第２磁気センサ５３０の上部に位置することになる。
【００３８】
図３ａに示す状態から図３ｂに示す状態となるまでカバー２００が開放して、マグネット５１０が第２磁気センサ５３０の上部に位置すると、第２磁気センサ５３０はマグネット５１０からの磁気エネルギーを感知して、カバー２００が完全に開放したことを知らせる開放位置信号を発生させる。開放位置信号が発生すると、モータ４１０がスクリュー軸４２０の回転を停止させるので、カバー２００が完全開放状態で停止することになる。
【００３９】
また、図３ｂに示すように、第２磁気センサ５３０がマグネット５１０から磁気エネルギーを受けている状態で、使用者が信号入力部を介して動作信号を入力すると、モータ４１０は、移送ユニット４４０がモータ４１０から遠くなる方向にスライドするように、スクリュー軸４２０を回転させる。モータ４１０から遠くなる方向に移送ユニット４４０がスライドするに従い、移送ユニット４４０と結合されたカバー２００は閉鎖方向に移動することになる。
【００４０】
カバー２００が閉鎖方向にスライドしてマグネット５１０が第１磁気センサ５２０の上部に位置すると、第１磁気センサ５２０はカバー２００が完全に閉鎖したことを知らせる閉鎖位置信号を発生させる。閉鎖位置信号が発生すると、モータ４１０はスクリュー軸４２０の回転を停止させるので、カバー２００が完全閉鎖状態で停止することになる。
【００４１】
以上の実施例においては、位置感知手段として、マグネットと磁気センサを用いて具現したが、マグネットと磁気センサの代わりに、発光ダイオードとフォトセンサを用いることもできる。即ち、位置感知手段として、カバー２００の下端面に結合される発光ダイオードと、カバー２００が閉鎖したとき、発光ダイオードに対応する位置の本体の上端面に結合され、光を感知すると閉鎖位置信号を発生させる第１フォトセンサと、カバー２００が閉鎖したとき、発光ダイオードに対応する位置の本体の上端面に結合され、光を感知すると開放位置信号を発生させる第２フォトセンサとを用いることもできる。
【００４２】
以上、本発明の好ましい実施例を詳細に説明したが、本発明の範囲は前述した特定の実施例に限定されるものではなく、特許請求範囲により決められなければならない。また、本発明が属する技術分野の通常の知識を持った者であれば、本発明の範囲から逸脱しないで多様な変形及び修正が可能であることを理解できるであろう。
【図面の簡単な説明】
【００４３】
【図１】本発明によるスライド型移動通信端末機の分解斜視図である。
【図２ａ】本発明に適用されるスライドモジュールの斜視図である。
【図２ｂ】本発明に適用される開閉手段の部分破断斜視図である。
【図２ｃ】図２ｂのＡ−Ａ線についての断面図である。
【図３ａ】カバーが閉じたとき、移送ユニット及び磁気センサの位置を示す断面図である。
【図３ｂ】カバーが開いたとき、移送ユニット及び磁気センサの位置を示す断面図である。
【符号の説明】
【００４４】
１００    本体
１１０    キーパッド
１２０    送信部
１３０    結合突起挿着孔
１４０    開閉手段挿着溝
１５０    開閉ボタン
２００    カバー
２１０    イヤーピース
２２０    液晶画面
２３０    機能キー
２４０    スライドモジュール収容溝
２５０    移送ユニット収容溝
３００    スライドモジュール
３１０    スライドレール
３２０    キャリア
３２２    結合突起
４００    開閉手段
４１０    モータ
４２０    スクリュー軸
４２２    ネジ溝
４３０    ガイド板
４３２    ガイドスロット
４４０    移送ユニット
４４２    スライド突起
５１０    マグネット
５２０    第１磁気センサ
５３０    第２磁気センサ
【図１】
2005094763.tif 000003
【図２ａ】
2005094763.tif 000004
【図２ｂ】
2005094763.tif 000005
【図２ｃ】
2005094763.tif 000006
【図３ａ】
2005094763.tif 000007
【図３ｂ】
2005094763.tif 000008